(57)【特許請求の範囲】
【請求項１】
光ファイバを保持して軸方向へ延びるフェルールを収容するプラグフレーム、前記プラグフレームに係入するストップリング、前記フェルールと前記ストップリングとの間に設置されて該フェルールを軸方向前方へ付勢するばねを有する光コネクタアセンブリと、前記ストップリングの後端部を収容するインナーハウジングと、前記インナーハウジングを収容するアウターハウジングとを備えた二連式の光コネクタプラグにおいて、
前記プラグフレームの頂壁から上方へ凸となる案内凸部が、該プラグフレームの頂壁の前端部に形成され、
前記アウターハウジングが、その前端に開口する前端開口と、前記アウターハウジングの頂壁の一方の側部から軸方向へ延びていて前記前端開口から軸方向前方へ延出する弾性変形可能な係合ラッチとを有し、
前記係合ラッチが、その前端に形成されて前記プラグフレームの頂壁の軸方向前方に位置する前端部に当接する当接凸部と、前記当接凸部の軸方向後方に形成されて前記コネクタアセンブリを光コネクタアダプタに挿入したときに該光コネクタアダプタに係合する係合部とを有し、
前記係合ラッチが、前記アウターハウジングの頂壁に連結された連結部と、前記連結部に繋がって該連結部から軸方向前方へ延びていて前記アウターハウジングの前端開口から軸方向前方へ延出する弾性変形部とから形成され、
前記係合ラッチの前端が、前記案内凸部の直後に位置しつつ、前記当接凸部が、前記案内凸部の直後に延びる前記プラグフレームの頂壁に当接し、
前記コネクタアセンブリを前記光コネクタアダプタに挿入した該光コネクタアダプタとの連結状態において、前記光コネクタアダプタに対する連結を解除する方向へ前記光コネクタプラグが引っ張られたときに、該係合ラッチの傾斜部分の前端が前記案内凸部の後端に当接することで、前記光コネクタアダプタに対する該係合ラッチの係合状態が維持される
ことを特徴とする二連式の光コネクタプラグ。
【請求項２】
前記弾性変形部が、前記連結部から軸方向前方へ水平に延びる水平部分と、前記水平部分に繋がって該水平部分から前記プラグフレームの頂壁に向かって軸方向前方へ下り勾配に傾斜して延びる傾斜部分とを有し、
前記係合ラッチの傾斜部分の前端が、前記案内凸部の直後に位置しつつ、前記当接凸部が、前記案内凸部の直後に延びる前記プラグフレームの頂壁に当接し、
前記コネクタアセンブリを前記光コネクタアダプタに挿入した該光コネクタアダプタとの連結状態において、前記光コネクタアダプタに対する連結を解除する方向へ前記光コネクタプラグが引っ張られて前記係合ラッチに軸方向の引っ張り荷重が作用し、該係合ラッチが軸方向へ伸長したときに、該係合ラッチの傾斜部分の前端が前記案内凸部の後端に当接することで、前記弾性変形部の下方への弾性変形が抑制され、前記光コネクタアダプタに対する該係合ラッチの係合状態が維持される請求項１に記載の二連式の光コネクタプラグ。
【請求項３】
前記係合ラッチの前端と前記案内凸部の後端との軸方向の離間寸法が、０．１〜０．６ｍｍの範囲にある請求項１または請求項２いずれかに記載の二連式の光コネクタプラグ。
【請求項４】
前記二連式の光コネクタプラグが、前記アウターハウジングに対して軸方向へスライド可能に連結されたスライダーを含み、前記二連式の光コネクタプラグでは、前記アウターハウジングに対して前記スライダーを軸方向後方へスライドさせる前の状態において前記係合ラッチの前記光コネクタアダプタに対する係合状態が維持され、前記アウターハウジングに対して前記スライダーを軸方向後方へスライドさせると、所定の押下げ機構によって該スライダーが前記係合ラッチを下方へ押し下げて該係合ラッチの前記光コネクタアダプタに対する係合状態が解除される請求項１ないし請求項３いずれかに記載の二連式の光コネクタプラグ。
【請求項５】
前記押下げ機構が、前記係合部の軸方向後方に延びる前記係合ラッチの水平部分に作られて軸方向後方へ向かうにつれて登り勾配に傾斜する傾斜凸部と、前記スライダーの一方の側部に作られて前記傾斜凸部に摺動可能に当接し、軸方向後方へ向かうにつれて登り勾配に傾斜して凹む傾斜凹部とから形成されている請求項４に記載の二連式の光コネクタプラグ。
【請求項６】
前記二連式の光コネクタプラグが、その軸方向後方に取り付けられた光ファイバコードを含む請求項１ないし請求項５いずれかに記載の二連式の光コネクタプラグ。
【発明の詳細な説明】
【技術分野】
【０００１】
本発明は、二連式の光コネクタプラグに関する。
【背景技術】
【０００２】
第１光ファイバを保持して軸方向へ延びる第１フェルールを収容する第１プラグフレーム、第１プラグフレームに係入する第１ストップリング、第１フェルールと第１ストップリングとの間に設置されて第１フェルールを軸方向前方へ付勢する第１ばねを有する第１光コネクタアセンブリと、第２光ファイバを保持して軸方向へ延びる第２フェルールを収容する第２プラグフレーム、第２プラグフレームに係入する第２ストップリング、第２フェルールと第２ストップリングとの間に設置されて第２フェルールを軸方向前方へ付勢する第２ばねを有して第１光コネクタアセンブリに並行する第２光コネクタアセンブリと、第１ストップリングの後端部及び第２ストップリングの後端部を収容するインナーハウジングと、インナーハウジングを収容するアウターハウジングとを備えた二連式の光コネクタプラグが開示されている（特許文献１参照）。
【０００３】
二連式の光コネクタプラグは、第１ストップリングの後端部に形成された第１歯車と、第２歯車が第２ストップリングの後端部に形成された第２歯車と、第１歯車と第２歯車との間に介在して第１及び第２歯車のうちの一方の歯車の回転力を他方の歯車に伝達しつつ他方の歯車を一方の歯車と同一の方向へ回転させる中間歯車とを有し、第１及び第２光コネクタアセンブリのうちの一方の光コネクタアセンブリがその軸を中心に回転すると、それに連動して他方の光コネクタアセンブリがその軸を中心に一方の光コネクタアセンブリと同一の方向へ回転する。
【０００４】
光コネクタプラグは、アウターハウジングの頂壁の一方の側部から軸方向前方へ延びる第１係合ラッチと、アウターハウジングの頂壁の他方の側部から軸方向前方へ延びる第２係合ラッチとを有する。第１係合ラッチの前端部には、第１係合部が形成され、第２係合ラッチの前端部には、第２係合部が形成されている。二連式の光コネクタプラグでは、第１及び第２コネクタアセンブリを光コネクタアダプタに挿入すると、第１及び第２係合部が光コネクタアダプタに係合し、光コネクタプラグが光コネクタアダプタに連結されて光接続状態になる。
【先行技術文献】
【特許文献】
【０００５】
【特許文献１】特開２０１８−１０２７４号公報
【発明の概要】
【発明が解決しようとする課題】
【０００６】
前記特許文献１に開示の二連式の光コネクタプラグは、第１係合ラッチの前端部が第１プラグフレームの頂壁の前端部から上方へ離間し、第２係合ラッチの前端部が第２プラグフレームの頂壁の前端部から上方へ離間している。第１及び第２係合ラッチの前端部が第１及び第２プラグフレームの頂壁に向かって下方へ弾性変形することで、第１及び第２係合部の光コネクタアダプタに対する係合が解除され、光コネクタプラグの光コネクタアダプタに対する連結が解除される。
【０００７】
この光コネクタプラグは、第１及び第２係合ラッチの前端部が第１及び第２プラグフレームの頂壁の前端部から上方へ離間しているから、第１及び第２係合ラッチの弾性力が弱く、カシメリングに固定されたブーツやブーツから軸方向後方へ延出する光ファイバコードが引っ張られ、光コネクタプラグと光コネクタアダプタとの連結を解除する方向へ光コネクタプラグが引っ張られて第１及び第２係合ラッチに軸方向の引っ張り荷重が作用した場合、第１及び第２係合ラッチが下方へ弾性変形し、光コネクタプラグと光コネクタアダプタとの連結が不用意に解除され、光接続が切断される場合がある。又、光コネクタプラグの第１及び第２コネクタアセンブリを光コネクタアダプタに挿入したときに、下方へ弾性変形した第１及び第２係合ラッチが上方へ戻り難い場合があり、第１及び第２係合ラッチと光コネクタアダプタとが確実な係合をしない事象がある。
【０００８】
本発明の目的は、光コネクタアダプタとの光接続状態において光コネクタプラグと光コネクタアダプタとの連結を解除する方向へ光コネクタプラグが引っ張られたとしても、光コネクタプラグと光コネクタアダプタとの連結が不用意に解除されることはなく、光コネクタアダプタとの光接続状態を維持することができ、光コネクタプラグと光コネクタアダプタとの連結が不用意に解除される切断事故を防ぐことができる二連式の光コネクタプラグを提供することにある。本発明の他の目的は、第１及び第２コネクタアセンブリを光コネクタアダプタに挿入したときに、第１及び第２係合ラッチと光コネクタアダプタとを確実に係合させることができる二連式の光コネクタプラグを提供することにある。
【課題を解決するための手段】
【０００９】
前記課題を解決するための本発明の前提は、第１光ファイバを保持して軸方向へ延びる第１フェルールを収容する第１プラグフレーム、第１プラグフレームに係入する第１ストップリング、第１フェルールと第１ストップリングとの間に設置されて第１フェルールを軸方向前方へ付勢する第１ばねを有する第１光コネクタアセンブリと、第２光ファイバを保持して軸方向へ延びる第２フェルールを収容する第２プラグフレーム、第２プラグフレームに係入する第２ストップリング、第２フェルールと第２ストップリングとの間に設置されて第２フェルールを軸方向前方へ付勢する第２ばねを有して第１光コネクタアセンブリに並行する第２光コネクタアセンブリと、第１ストップリングの後端部及び第２ストップリングの後端部を収容するインナーハウジングと、インナーハウジングを収容するアウターハウジングとを備えた二連式の光コネクタプラグである。
【００１０】
前記前提における本発明の特徴は、第１プラグフレームの頂壁から上方へ凸となる第１案内凸部が、第１プラグフレームの頂壁の前端部に形成され、第２プラグフレームの頂壁から上方へ凸となる第２案内凸部が、第２プラグフレームの頂壁の前端部に形成され、
アウターハウジングが、その前端に開口する前端開口と、アウターハウジングの頂壁の一方の側部から軸方向へ延びていて前端開口から軸方向前方へ延出する弾性変形可能な第１係合ラッチと、アウターハウジングの頂壁の他方の側部から軸方向へ延びていて前端開口から軸方向前方へ延出する弾性変形可能な第２係合ラッチとを有する。
【００１１】
そして第１係合ラッチが、その前端に形成されて第１プラグフレームの頂壁の軸方向前方に位置する前端部に当接する第１当接凸部と、第１当接凸部の軸方向後方に形成されて第１コネクタアセンブリを光コネクタアダプタに挿入したときに該光コネクタアダプタに係合する第１係合部とを有し、
前記アウターハウジングの頂壁に連結された第１連結部と、第１連結部に繋がって第１連結部から軸方向前方へ延びていてアウターハウジングの前端開口から軸方向前方へ延出する第１弾性変形部とから形成され、
第１弾性変形部が、第１連結部から軸方向前方へ水平に延びる第１水平部分と、第１水平部分に繋がって第１水平部分から第１プラグフレームの頂壁に向かって軸方向前方へ下り勾配に傾斜して延びる第１傾斜部分とを有する。
【００１２】
同じく第２係合ラッチが、その前端に形成されて第２プラグフレームの頂壁の軸方向前方に位置する前端部に当接する第２当接凸部と、第２当接凸部の軸方向後方に形成されて第２コネクタアセンブリを光コネクタアダプタに挿入したときに該光コネクタアダプタに係合する第２係合部とを有し、
前記アウターハウジングの頂壁に連結された第２連結部と、第２連結部に繋がって第２連結部から軸方向前方へ延びていてアウターハウジングの前端開口から軸方向前方へ延出する第２弾性変形部とから形成され、
第２弾性変形部が、第２連結部から軸方向前方へ水平に延びる第２水平部分と、第２水平部分に繋がって第２水平部分から第２プラグフレームの頂壁に向かって軸方向前方へ下り勾配に傾斜して延びる第２傾斜部分とを有する。
【００１３】
さらに第１係合ラッチの第１連結部がアウターハウジングの頂壁に連結され、第１係合ラッチの第１当接凸部が第１プラグフレームの頂壁に当接することで、第１弾性変形部の上下方向の弾性力が強くなり、
第１係合ラッチの第１傾斜部分の前端が、第１案内凸部の直後に位置しつつ、第１当接凸部が、第１案内凸部の直後に延びる第１プラグフレームの頂壁に当接し、
第２係合ラッチの第２連結部がアウターハウジングの頂壁に連結され、第２係合ラッチの第２当接凸部が第２プラグフレームの頂壁に当接することで、第２弾性変形部の上下方向の弾性力が強くなり、
第２係合ラッチの第２傾斜部分の前端が、第２案内凸部の直後に位置しつつ、第２当接凸部が、第２案内凸部の直後に延びる第２プラグフレームの頂壁に当接する。
【００１４】
前記特徴を兼ね備えた二連式の光コネクタプラグであり、第１及び第２コネクタアセンブリを光コネクタアダプタに挿入した光コネクタアダプタとの連結状態において、光コネクタアダプタに対する連結を解除する方向へ光コネクタプラグが引っ張られて第１及び第２係合ラッチに軸方向の引っ張り荷重が作用し、第１及び第２係合ラッチが軸方向へ伸長したときに、第１係合ラッチの第１傾斜部分の前端が第１案内凸部の後端に当接しつつ、第２係合ラッチの第２傾斜部分の前端が第２案内凸部の後端に当接することで、第１及び第２弾性変形部の下方への弾性変形が抑制され、光コネクタアダプタに対する第１及び第２係合ラッチの係合状態が維持されることにある。
【００１５】
本発明の他の一例としては、第１係合ラッチの前端と第１案内凸部の後端との軸方向の離間寸法が、０．１〜０．６ｍｍの範囲にあり、第２係合ラッチの前端と第２案内凸部の後端との軸方向の離間寸法が、０．１〜０．６ｍｍの範囲にある。
【００１６】
本発明の他の一例としては、二連式の光コネクタプラグが、アウターハウジングに対して軸方向へスライド可能に連結されたスライダーを含み、二連式の光コネクタプラグでは、アウターハウジングに対してスライダーを軸方向後方へスライドさせる前の状態において第１及び第２係合ラッチの光コネクタアダプタに対する係合状態が維持され、アウターハウジングに対してスライダーを軸方向後方へスライドさせると、所定の押下げ機構によってスライダーが第１及び第２係合ラッチを下方へ押し下げて第１及び第２係合ラッチの光コネクタアダプタに対する係合状態が解除される。
【００１７】
本発明の他の一例としては、押下げ機構が、第１係合部の軸方向後方に延びる第１係合ラッチの第１水平部分に作られて軸方向後方へ向かうにつれて登り勾配に傾斜する第１傾斜凸部と、第２係合部の軸方向後方に延びる第２係合ラッチの第２水平部分に作られて軸方向後方へ向かうにつれて登り勾配に傾斜する第２傾斜凸部と、スライダーの一方の側部に作られて第１傾斜凸部に摺動可能に当接し、軸方向後方へ向かうにつれて登り勾配に傾斜して凹む第１傾斜凹部と、スライダーの他方の側部に位置して第２傾斜凸部に摺動可能に当接し、軸方向後方へ向かうにつれて登り勾配に傾斜して凹む第２傾斜凹部とから形成されている。
【００１８】
本発明の他の一例としては、二連式の光コネクタプラグが、その軸方向後方に取り付けられた光ファイバコードを含む。
【発明の効果】
【００１９】
本発明に係る二連式の光コネクタプラグによれば、第１係合ラッチの前端に形成された第１当接凸部が第１プラグフレームの頂壁の前端部に当接し、第２係合ラッチの前端に形成された第２当接凸部が第２プラグフレームの頂壁の前端部に当接するから、第１及び第２係合ラッチの前端部が第１及び第２プラグフレームの頂壁の前端部から上方へ離間する場合と比較し、第１及び第２係合ラッチの弾性力が強くなり、光コネクタアダプタとの光接続状態において光コネクタプラグと光コネクタアダプタとの連結を解除する方向へ光コネクタプラグが引っ張られ、第１及び第２係合ラッチに軸方向の引っ張り荷重が作用したとしても、第１及び第２係合ラッチの下方への弾性変形が抑制され、光コネクタプラグと光コネクタアダプタとの連結が不用意に解除されることはなく、光コネクタアダプタとの光接続状態を維持することができ、光コネクタプラグと光コネクタアダプタとの連結が不用意に解除される切断事故を防ぐことができる。
【００２０】
また本光コネクタプラグは、第１及び第２係合ラッチの弾性力が強いから、第１及び第２コネクタアセンブリを光コネクタアダプタに挿入したときに、下方へ弾性変形した第１及び第２係合ラッチが上方へ戻り易く、第１及び第２係合ラッチの第１及び第２係合部と光コネクタアダプタとを確実に係合させることにより、第１及び第２係合部を光コネクタアダプタに強固に係合させることができ、光コネクタアダプタに対する光コネクタプラグの連結（光接続状態）を確実に維持することができる。
【００２１】
さらに本光コネクタプラグは、第１係合ラッチの第１連結部がアウターハウジングの頂壁に連結され、第１係合ラッチの第１当接凸部が第１プラグフレームの頂壁に当接することで、第１弾性変形部の上下方向の弾性力が強くなり、第１弾性変形部が第１プラグフレームの頂壁に向かって下方へ弾性変形することはなく、第２係合ラッチの第２連結部がアウターハウジングの頂壁に連結され、第２係合ラッチの第２当接凸部が第２プラグフレームの頂壁に当接することで、第２弾性変形部の上下方向の弾性力が強くなり、第２弾性変形部が第２プラグフレームの頂壁に向かって下方へ弾性変形することはないから、光コネクタアダプタとの光接続状態において光コネクタプラグと光コネクタアダプタとの連結を解除する方向へ光コネクタプラグが引っ張られ、第１及び第２係合ラッチに軸方向の引っ張り荷重が作用したとしても、第１及び第２係合ラッチの下方への弾性変形が確実に抑制され、光コネクタプラグと光コネクタアダプタとの連結が不用意に解除されることはなく、光コネクタアダプタとの光接続状態を維持することができ、光コネクタプラグと光コネクタアダプタとの連結が不用意に解除される切断事故を防ぐことができる。
【００２２】
そのうえ本光コネクタプラグは、第１係合ラッチの第１傾斜部分の前端が第１案内凸部の直後に位置しつつ、第１当接凸部が第１案内凸部の直後に延びる第１プラグフレームの頂壁に当接し、第２係合ラッチの第２傾斜部分の前端が第２案内凸部の直後に位置しつつ、第２当接凸部が第２案内凸部の直後に延びる第２プラグフレームの頂壁に当接することで、第１係合ラッチの第１弾性変形部の弾性力が強くなるとともに、第２係合ラッチの第２弾性変形部の弾性力が強くなり、光コネクタアダプタとの光接続状態において光コネクタプラグと光コネクタアダプタとの連結を解除する方向へ光コネクタプラグが引っ張られ、第１及び第２係合ラッチに軸方向の引っ張り荷重が作用したとしても、第１及び第２係合ラッチの第１及び第２弾性変形部の下方への弾性変形が抑制され、光コネクタプラグと光コネクタアダプタとの連結が不用意に解除されることはなく、光コネクタアダプタとの光接続状態を維持することができる。光コネクタプラグは、第１及び第２係合ラッチの第１及び第２弾性変形部の弾性力が強いから、第１及び第２コネクタアセンブリを光コネクタアダプタに挿入したときに、下方へ弾性変形した第１及び第２係合ラッチが上方へ戻り易く、第１及び第２係合ラッチの第１及び第２係合部と光コネクタアダプタとを確実に係合させることにより、第１及び第２係合部を光コネクタアダプタに強固に係合させることができ、光コネクタアダプタに対する光コネクタプラグの連結（光接続状態）を確実に維持することができる。
【００２３】
加えて本光コネクタプラグは、第１及び第２コネクタアセンブリを光コネクタアダプタに挿入した光コネクタアダプタとの連結状態において、光コネクタアダプタに対する連結を解除する方向へ光コネクタプラグが引っ張られて第１及び第２係合ラッチに軸方向の引っ張り荷重が作用し、第１及び第２係合ラッチの第１及び第２弾性変形部が軸方向へ伸長したときに、第１係合ラッチの第１傾斜部分の前端が第１案内凸部の後端に当接しつつ、第２係合ラッチの第２傾斜部分の前端が第２案内凸部の後端に当接することで、第１及び第２弾性変形部の下方への弾性変形が抑制され、光コネクタアダプタに対する該第１及び第２係合ラッチの係合状態が維持されるから、光コネクタプラグと光コネクタアダプタとの連結が不用意に解除されることはなく、光コネクタアダプタとの光接続状態を維持することができる。
【００２４】
請求項３に記載の光コネクタプラグは、第１係合ラッチの前端と第１案内凸部の後端との軸方向の離間寸法が０．１〜０．６ｍｍの範囲にあり、第２係合ラッチの前端と第２案内凸部の後端との軸方向の離間寸法が０．１〜０．６ｍｍの範囲にあるから、第１及び第２コネクタアセンブリを光コネクタアダプタに挿入した光コネクタアダプタとの連結状態において、光コネクタアダプタに対する連結を解除する方向へ光コネクタプラグが引っ張られて第１及び第２係合ラッチに軸方向の引っ張り荷重が作用し、第１及び第２係合ラッチの第１及び第２弾性変形部が軸方向へ伸長したときに、第１係合ラッチの第１傾斜部分の前端が第１案内凸部の後端に確実に当接しつつ、第２係合ラッチの第２傾斜部分の前端が第２案内凸部の後端に確実に当接し、第１及び第２弾性変形部の下方への弾性変形が抑制され、光コネクタアダプタに対する該第１及び第２係合ラッチの係合状態を維持することができ、光コネクタプラグと光コネクタアダプタとの連結が不用意に解除されることはなく、光コネクタアダプタとの光接続状態を維持することができる。
【００２５】
請求項４に記載の光コネクタプラグは、アウターハウジングに対してスライダーを軸方向後方へスライドさせると、所定の押下げ機構によってスライダーが第１及び第２係合ラッチを下方へ押し下げて第１及び第２係合ラッチの第１及び第２弾性変形部が下方へ弾性変形し、第１及び第２係合部の光コネクタアダプタに対する係合状態が解除されるから、スライダーを軸方向後方へスライドさせる操作だけで光コネクタアダプタから光コネクタプラグの第１及び第２コネクタアセンブリを引き抜くことができ、光コネクタプラグと光コネクタアダプタとの連結を容易に解除することができる。
【００２６】
請求項５に記載の光コネクタプラグは、スライダーを軸方向後方へスライドさせることによってスライダーの一方の側部に作られた第１傾斜凹部が第１傾斜凸部を下方へ押し下げるとともに、スライダーの他方の側部に作られた第２傾斜凹部が第２傾斜凸部を下方へ押し下げ、第１及び第２係合ラッチの第１及び第２弾性変形部が下方へ弾性変形し、第１及び第２係合部の光コネクタアダプタに対する係合状態が解除されるから、スライダーを軸方向後方へスライドさせる操作だけで光コネクタアダプタから光コネクタプラグの第１及び第２コネクタアセンブリを引き抜くことができ、光コネクタプラグと光コネクタアダプタとの連結を容易に解除することができる。
【発明を実施するための形態】
【００２７】
一例として示す二連式の光コネクタプラグ１０の斜視図である図１等の添付の図面を参照し、本発明に係る二連式の光コネクタプラグの詳細を説明すると、以下のとおりである。尚、図２は、二連式の光コネクタプラグ１０の側面図であり、図３は、二連式の光コネクタプラグ１０の分解斜視図である。図４は、第１及び第２プラグフレーム２０ａ，２０ｂの斜視図であり、図５は、図４のＡ−Ａ線矢視断面図である。図６は、第１及び第２ストップリング２１ａ，２１ｂの斜視図である。図１，２では、軸方向を矢印Ａ、径方向（横方向又は上下方向）を矢印Ｂで示し、周り方向を矢印Ｃで示す。
【００２８】
二連式の光コネクタプラグ１０は、光ファイバコード９６の端末部に取り付けられ、光コネクタアダプタ（図示せず）に接続することで光ファイバどうしの光接続に使用される。光コネクタプラグ１０は、第１光コネクタアセンブリ１１ａ及び第２光コネクタアセンブリ１１ｂと、第１歯車１２ａ及び第２歯車１２ｂと、中間歯車１３と、インナーハウジング１４及びアウターハウジング１５と、スライダー１６及びカシメリング１７と、ブーツ１８及びパイプ２８とから形成されている。光コネクタプラグ１０は、図３の分解斜視図に示すように、第１及び第２光コネクタアセンブリ１１ａ，１１ｂの軸方向後方にインナーハウジング１４及びアウターハウジング１５とパイプ２８及びスライダー１６とが並び、スライダー１６の軸方向後方にカシメリング１７とブーツ１８とが並んでいる。
【００２９】
第１光コネクタアセンブリ１１ａは、軸方向へ延びる第１フェルール１９ａと、第１フェルール１９ａを収容する第１プラグフレーム２０ａと、第１プラグフレーム２０ａに係入する第１ストップリング２１ａと、第１ばね２２ａ（コイルスプリング）とを有する。第１フェルール１９ａは、軸方向へ延びる第１キャピラリ２３ａと、軸方向へ延びる円筒状に成形された第１スリーブ２４ａとから形成されている。第１キャピラリ２３ａには、少なくとも１本の第１光ファイバ２５ａが保持されている。
【００３０】
第１キャピラリ２３ａは、軸方向へ長い略円柱状に成形され、その軸方向先端に第１光ファイバ２５ａの端面が露出する先端面２６を有するとともに、先端面２６の端面外径域に面取り部２７を有する。尚、面取り部２７の形状には、角面や丸面等の形状があるが、いずれの形状であってもよい。先端面２６は、径方向へ垂直に延びる垂直な面である。面取り部２７は、先端面２６から軸方向後方に向かうにつれて径方向外方へ次第に傾斜している。
【００３１】
第１キャピラリ２３ａは、ジルコニア等のセラミックス材料、プラスチック材料、結晶化ガラスやホウケイ酸ガラス、石英等のガラス材料等から作られている。尚、図示の第１キャピラリ２３ａには、ジルコニアから作られたジルコニアキャピラリが使用されている。第１キャピラリ２３ａの外径は、１．２４８５ｍｍ〜１．２４９５ｍｍである。第１キャピラリ２３ａ（フェルール）の内部には、軸方向へ延びる光ファイバ挿入孔が形成（穿孔）されている。第１光ファイバ２５ａは、第１キャピラリ２３ａに形成された光ファイバ挿入孔に挿入されている。
【００３２】
第１スリーブ２４ａは、第１キャピラリ２３ａ（第１フェルール１９ａ）の軸方向後方に連結されている。第１スリーブ２４ａの軸方向後方には、第１光ファイバ２５ａの外周全域を被覆して軸方向へ延びる第１心線カバー２９ａ（ＰＴＦＥチューブ）が連結されている。第１スリーブ２４ａの前端には、その径が第１キャピラリ２３ａや第１心線カバー２９ａのそれよりも大きい多角筒状の第１フランジ３０ａが一体に成形されている。第１スリーブ２４ａや第１フランジ３０ａは、ステンレスや真鍮、鉄鋼等の金属材料、又は、合成樹脂材料から作られている。第１スリーブ２４ａの内部には、第１キャピラリ２３ａを挿入保持するキャピラリ挿入孔と、第１光ファイバ２５ａを内蔵する第１光ファイバ心線を挿入保持する心線挿入孔とが形成（穿孔）されている。
【００３３】
第１キャピラリ２３ａの後端部が第１スリーブ２４ａのキャピラリ挿入孔に挿入され、第１キャピラリ２３ａの後端部が第１スリーブ２４ａのキャピラリ挿入孔に固定保持されている。第１光ファイバ心線の一端部が第１スリーブ２４ａの心線挿入孔に挿入され、第１光ファイバ心線の一端部が第１スリーブ２４ａの心線挿入孔に固定保持されている。尚、第１スリーブ２４ａの軸方向の断面形状は図示の円筒状に限定されず、軸方向へ長い角筒状であってもよい。
【００３４】
第１プラグフレーム２０ａは、合成樹脂材料から作られ、中空の略四角柱状に成形されている。第１プラグフレーム２０ａは、上下方向へ離間対向して軸方向へ延びる略矩形の頂壁３１及び底壁３２と、横方向へ離間対向して軸方向へ延びる略矩形の両側壁３３，３４とを有する。第１プラグフレーム２０ａの頂壁３１の軸方向前方には、頂壁３１の上面３５から上方へ凸となる第１案内凸部３６ａが形成されている。
【００３５】
第１プラグフレーム２０ａの軸方向後方における各壁３１〜３４には、インナーハウジング１４の後記する第１開口５５ａの開口端に当接する第１フランジ３７ａが形成されている。第１フランジ３７ａは、各壁３１〜３４の周り方向に形成されて第１プラグフレーム２０ａを囲繞している。第１プラグフレーム２０ａの第１フランジ３７ａの軸方向後方における側壁３１〜３４には、インナーハウジング１４の第１開口５５ａの直後に形成された後記する第１係入凸部５７ａが係入する第１係入凹部３８ａが形成されている。第１係入凹部３８ａは、各壁３１〜３４の周り方向に形成されて第１プラグフレーム２０ａを囲繞している。
【００３６】
第１プラグフレーム２０ａの内部には、それら各壁３１〜３４に囲繞されて軸方向へ延びるフェルール収容スペース３９が形成され、第１キャピラリ２３ａの先端部が露出する前端露出口４０が開口しているとともに、第１フェルール１９ａを挿入する後端挿入口４１が開口している。第１プラグフレーム２０ａの前端露出口４０の軸方向後方には、第１プラグフレーム２０ａ（フェルール収容スペース３９を囲繞するそれら壁３１〜３４）の内周面から径方向内方へ当接部４２が延びている。当接部４２には、第１スリーブ２４ａの第１フランジ３０ａが当接する。第１スリーブ２４ａの第１フランジ３０ａが当接部４２に当接することで、第１プラグフレーム２０ａに対する第１スリーブ２４ａの軸方向前方へのそれ以上の移動が阻止される。第１プラグフレーム２０ａの内周面には、後端挿入口４１から軸方向前方へ延びる一対のガイド凹部４３が形成されている。
【００３７】
第１ストップリング２１ａは、金属材料又は合成樹脂材料から作られ、略円筒状に成形されて軸方向へ延びている。第１ストップリング２１ａは、軸方向前方に位置する前端部４４（前端筒部）と、軸方向前方に位置する後端部４６（後端筒部）と、前端部４４及び後端部４６の間に延びる中間部４５（中間筒部）とを有する。第１ストップリング２１ａの前端部４４には、第１光ファイバ心線が露出する心線露出口４７が開口し、後端部４６には、第１光ファイバ心線を挿入する心線挿入口４８が開口している。第１ストップリング２１ａの前端部４４及び中間部４５の外周面には、軸方向へ延びる一対のガイド凸部４９が形成されている。ガイド凸部４９は、第１プラグフレーム２０ａの内周面に形成されたガイド凹部４３に嵌合する。
【００３８】
第１プラグフレーム２０ａの内部に第１ストップリング２１ａを挿入するには、第１プラグフレーム２０ａの後端挿入口４１から第１ストップリング２１ａの前端部４４を圧入し、第１プラグフレーム２０ａのフェルール収容スペース３９（内部）において第１ストップリング２１ａを圧入下に軸方向前方へ移動させる。第１ストップリング２１ａを第１プラグフレーム２０ａのフェルール収容スペース３９に収容（圧入）するときに、第１ストップリング２１ａのガイド凸部４９を第１プラグフレーム２０ａのガイド凹部４３に合わせ、ガイド凸部４９をガイド凹部４３に挿入し、第１プラグフレーム２０ａに対する第１ストップリング２１ａの位置決めをする。第１ストップリング２１ａの前端部４４及び中間部４５を第１プラグフレーム２０ａのフェルール収容スペース３９（内部）に圧入することで、第１ストップリング２１ａが第１プラグフレーム２０ａに連結固定される。
【００３９】
第１ばね２２ａは、第１フェルール１９ａと第１ストップリング２１ａとの間に設置され、第１心線カバー２９ａに挿通されて軸方向へ延びている。第１ばね２２ａは、その前端が第１スリーブ２４ａの第１フランジ３０ａに当接し、その後端が第１ストップリング２１ａの前端部４４に当接している。第１ばね２２ａは、軸方向への弾性力によって第１フェルール１９ａを軸方向前方へ付勢する。
【００４０】
第１歯車１２ａは、第１ストップリング２１ａの後端部４６に形成されて軸方向へ延びている。第１歯車１２ａには、第１歯車１２ａの径方向外方へ凸となる１つの第１回転停止凸部５０ａ（回転角度規制手段）が形成されている。第１回転停止凸部５０ａは、その高さが第１歯車１２ａの各歯の歯たけ（歯高さ）よりも大きく、第１歯車１２ａの各歯よりも径方向外方へ突出している。第１回転停止凸部５０ａは、インナーハウジング１４の第１開口５５ａの軸方向後方に形成された後記する第１回転規制凸部５８ａに対向する位置に作られている。
【００４１】
第２光コネクタアセンブリ１１ｂは、第１光コネクタアセンブリ１１ａに隣接し、第１光コネクタアセンブリ１１ａに並行して軸方向へ延びている。第２光コネクタアセンブリ１１ｂは、軸方向へ延びる第２フェルール１９ｂと、第２フェルール１９ｂを収容する第２プラグフレーム２０ｂと、第２プラグフレーム２０ｂに係入する第２ストップリング２１ｂと、第２ばね２２ｂ（コイルスプリング）とを有する。第２フェルール１９ｂは、軸方向へ延びる第２キャピラリ２３ｂと、軸方向へ延びる円筒状に成形された第２スリーブ２４ｂとから形成されている。第２キャピラリ２３ｂには、少なくとも１本の第２光ファイバ２５ｂが保持されている。
【００４２】
第２キャピラリ２３ｂは、第１キャピラリ２３ａの横方向に隣接し、第１キャピラリ２３ａに並行して軸方向へ延びている。第２キャピラリ２３ｂは、軸方向へ長い略円柱状に成形され、その軸方向先端に第２光ファイバ２５ｂの端面が露出する先端面２６を有するとともに、先端面２６の端面外径域に面取り部２７を有する。先端面２６は、径方向へ垂直に延びる垂直の面であり、面取り部２７の形状は、第１キャピラリ２３ａのそれと同一である。第２キャピラリ２３ｂ（フェルール）の内部には、軸方向へ延びる光ファイバ挿入孔が形成（穿孔）されている。第２光ファイバ２５ｂは、第２キャピラリ２３ｂに形成された光ファイバ挿入孔に挿入されている。第２キャピラリ２３ｂの材質や外径は、第１キャピラリ２３ａのそれらと同一である。
【００４３】
第２スリーブ２４ｂは、第２キャピラリ２３ｂ（第２フェルール１９ｂ）の軸方向後方に連結されている。第２スリーブ２４ｂの軸方向後方には、第２光ファイバ２５ｂの外周全域を被覆して軸方向へ延びる第２心線カバー２９ｂ（ＰＴＦＥチューブ）が連結されている。第２心線カバー２９ｂは、第１心線カバー２９ａの横方向に隣接し、第１心線カバー２９ａに並行して軸方向へ延びている。
【００４４】
第２スリーブ２４ｂの前端には、その径が第２キャピラリ２３ｂや第２心線カバー２９ｂのそれよりも大きい多角筒状の第２フランジ３０ｂが一体に成形されている。第２フランジ３０ｂは、第１フランジ３０ａの横方向に隣接している。第２スリーブ２４ｂや第２フランジ３０ｂは、第１スリーブ２４ａや第１フランジ３０ａと同様に、ステンレスや真鍮、鉄鋼等の金属材料、又は、合成樹脂材料から作られている。第２スリーブ２４ｂの内部には、第２キャピラリ２３ｂを挿入保持するキャピラリ挿入孔と、第２光ファイバ２５ｂを内蔵する第２光ファイバ心線を挿入保持する心線挿入孔とが形成（穿孔）されている。
【００４５】
第２キャピラリ２３ｂの後端部が第２スリーブ２４ｂのキャピラリ挿入孔に挿入され、第２キャピラリ２３ｂの後端部が第２スリーブ２４ｂのキャピラリ挿入孔に固定保持されている。第２光ファイバ心線の一端部が第２スリーブ２４ｂの心線挿入孔３２に挿入され、第２光ファイバ心線の一端部が第２スリーブ２４ｂの心線挿入孔に固定保持されている。尚、第２スリーブ２４ｂの軸方向の断面形状は図示の円筒状に限定されず、軸方向へ長い角筒状であってもよい。
【００４６】
第２プラグフレーム２０ｂは、第１プラグフレーム２０ａの横方向に隣接し、第１プラグフレーム２０ａに並行して軸方向へ延びている。第２プラグフレーム２０ｂは、第１プラグフレーム２０ａと同様に、合成樹脂材料から作られ、中空の略四角柱状に成形されている。第２プラグフレーム２０ｂは、上下方向へ離間対向して軸方向へ延びる頂壁３１及び底壁３２と、横方向へ離間対向して軸方向へ延びる両側壁３３，３４とを有する。第２プラグフレーム２０ｂの頂壁３１の軸方向前方には、頂壁３１の上面３５から上方へ凸となる第２案内凸部３６ｂが形成されている。尚、第１プラグフレーム２０ａの頂壁３１に形成された第１案内凸部３６ａや第２プラグフレーム２０ｂの頂壁３１に形成された第２案内凸部３６ｂは、光コネクタプラグ１０の第１及び第２プラグフレーム２０ａ，２０ｂを光コネクタアダプタに挿入するときのガイドになる。
【００４７】
第２プラグフレーム２０ｂの軸方向後方における各壁３１〜３４には、インナーハウジング１４の後記する第２開口５５ｂの開口端に当接する第２フランジ３７ｂが形成されている。第２フランジ３７ｂは、各壁３１〜３４の周り方向に形成されて第２プラグフレーム２０ｂを囲繞している。第２プラグフレーム２０ｂの第２フランジ３７ｂの軸方向後方における側壁３１〜３４には、インナーハウジング１４の第２開口５５ｂの直後に形成された後記する第２係入凸部５７ｂが係入する第２係入凹部３８ｂが形成されている。第２係入凹部３８ｂは、各壁３１〜３４の周り方向に形成されて第２プラグフレーム２０ｂを囲繞している。
【００４８】
第２プラグフレーム２０ｂの内部には、それら壁３１〜３４に囲繞されて軸方向へ延びるフェルール収容スペース３９が形成され、第２キャピラリ２３ｂの先端部が露出する前端露出口４０が開口しているとともに、第２フェルール１９ｂを挿入する後端挿入口４１が開口している。第２プラグフレーム２０ｂの前端露出口４０の軸方向後方には、第２プラグフレーム２０ｂ（フェルール収容スペース３９を囲繞するそれら壁３１〜３４）の内周面から径方向内方へ当接部４２が延びている。当接部４２には、第２スリーブ２４ｂの第２フランジ３０ｂが当接する。第２スリーブ２４ｂの第２フランジ３０ｂが当接部４２に当接することで、第２プラグフレーム２０ｂに対する第２スリーブ２４ｂの軸方向前方へのそれ以上の移動が阻止される。第２プラグフレーム２０ｂの内周面には、後端挿入口４１から軸方向前方へ延びる一対のガイド凹部４３が形成されている。
【００４９】
第２ストップリング２１ｂは、第１ストップリング２１ａの横方向に隣接し、第１ストップリング２１ａに並行して軸方向へ延びている。第２ストップリング２１ｂは、第１ストップリング２１ａと同様に、金属材料又は合成樹脂材料から作られ、略円筒状に成形されている。第２ストップリング２１ｂは、軸方向前方に位置する前端部４４（前端筒部）と、軸方向前方に位置する後端部４６（後端筒部）と、前端部４４及び後端部４６の間に延びる中間部４５（中間筒部）とを有する。第２ストップリング２１ｂの前端部４４には、第２光ファイバ心線が露出する心線露出口４７が開口し、後端部４６には、第２光ファイバ心線を挿入する心線挿入口４８が開口している。第２ストップリング２１ｂの前端部４４及び中間部４５の外周面には、軸方向へ延びる一対のガイド凸部４９が形成されている。ガイド凸部４９は、第２プラグフレーム２０ｂの内周面に形成されたガイド凹部４３に嵌合する。
【００５０】
第２プラグフレーム２０ｂの内部に第２ストップリング２１ｂを挿入するには、第２プラグフレーム２０ｂの後端挿入口４１から第２ストップリング２１ｂの前端部４４を圧入し、第２プラグフレーム２０ｂのフェルール収容スペース３９（内部）において第２ストップリング２１ｂを圧入下に軸方向前方へ移動させる。第２ストップリング２１ｂを第２プラグフレーム２０ｂのフェルール収容スペース３９に収容（圧入）するときに、第２ストップリング２１ｂのガイド凸部４９を第２プラグフレーム２０ｂのガイド凹部４３に合わせ、ガイド凸部４９をガイド凹部４３に挿入し、第２プラグフレーム２０ｂに対する第２ストップリング２１ｂの位置決めをする。第２ストップリング２１ｂの前端部４４及び中間部４５を第２プラグフレーム２０ｂのフェルール収容スペース３９（内部）に圧入することで、第２ストップリング２１ｂが第２プラグフレーム２０ｂに連結固定される。
【００５１】
第２ばね２２ｂは、第２フェルール１９ｂと第２ストップリング２１ｂとの間に設置され、第２心線カバー２９ｂに挿通されている。第２ばね２２ｂは、第１ばね２２ａの横方向に隣接し、第１ばね２２ａに並行して軸方向へ延びている。第２ばね２２ｂは、その前端が第２スリーブ２４ｂの第２フランジ３０ｂに当接し、その後端が第２ストップリング２１ｂの前端部４４に当接している。第２ばね２２ｂは、軸方向への弾性力によって第２フェルール１９ｂを軸方向前方へ付勢する。
【００５２】
第２歯車１２ｂは、第２ストップリング２１ｂの後端部４６に形成されて軸方向へ延びている。第２歯車１２ｂには、第２歯車１２ｂの径方向外方へ凸となる１つの第２回転停止凸部５０ｂ（回転角度規制手段）が形成されている。第２回転停止凸部５０ｂは、その高さが第２歯車１２ｂの各歯の歯たけ（歯高さ）よりも長く、第２歯車１２ｂの各歯よりも径方向外方へ突出している。第２回転停止凸部５０ｂは、インナーハウジング１４の第２開口５５ｂの軸方向後方に形成された後記する第２回転規制凸部５８ｂに対向する位置に作られている。
【００５３】
中間歯車１３は、第１歯車１２ａと第２歯車１２ｂとの間に介在して軸方向へ延びている。中間歯車１３は、第１及び第２歯車１２ａ，１２ｂに外接し、第１及び第２歯車１２ａ，１２ｂのうちの一方の歯車の回転力を他方の歯車に伝達しつつ他方の歯車を一方の歯車と同一の方向へ回転させる。尚、第１歯車１２ａと第２歯車１２ｂと中間歯車１３との歯車比は１である。従って、第１歯車１２ａが時計回り方向へ１回転すると、中間歯車１３が反時計回り方向へ１回転するとともに、第２歯車１２ｂが時計回り方向へ１回転する。逆に、第１歯車１２ａが反時計回り方向へ１回転すると、中間歯車１３が時計回り方向へ１回転するとともに、第２歯車１２ｂが反時計回り方向へ１回転する。
【００５４】
図７は、２つに分離した状態で示すインナーハウジング１４の斜視図であり、図８は、インナーハウジング１４の外面図である。インナーハウジング１４は、合成樹脂材料から作られて中空に成形されている。インナーハウジング１４は、上下方向へ離間対向して軸方向へ延びる頂壁５１及び底壁５２と、横方向へ離間対向して軸方向へ延びる両側壁５３，５４とを有し、その前端に開口して第１ストップリング２１ａを挿通する第１開口５５ａと、その前端に開口して第２ストップリング２１ｂを挿通する第２開口５５ｂとを有する。
【００５５】
インナーハウジング１４の軸方向後方には、パイプ２８を嵌め込む筒部５６が一体に連結されている。第１開口５５ａの直後におけるインナーハウジング１４の内部には、インナーハウジング１４の内部から径方向内方へ凸となる第１係入凸部５７ａが形成されている。第２開口５５ｂの直後におけるインナーハウジング１４の内部には、インナーハウジング１４の内部から径方向内方へ凸となる第２係入凸部５７ｂが形成されている。
【００５６】
第１開口５５ａの軸方向後方におけるインナーハウジング１４の内部には、図７に示すように、インナーハウジング１４の内部から径方向内方へ凸となる第１回転規制凸部５８ａ（回転角度規制手段）が形成されている。第２開口５５ｂの軸方向後方におけるインナーハウジング１４の内部には、インナーハウジング１４の内部から径方向内方へ凸となる第２回転規制凸部５８ｂ（回転角度規制手段）が形成されている。
【００５７】
インナーハウジング１４の内部には、それら壁５１〜５４及び仕切壁５９に囲繞された第１歯車収容部６０と、それら壁５１〜５４及び仕切壁５９に囲繞された第２歯車収容部６１と、仕切壁５９に囲繞されて第１及び第２歯車収容部６０，６１の間に位置する中間歯車収容部６２とが形成されている。第１歯車収容部６０には、第１ストップリング２１ａの後端部４６に形成された第１歯車１２ａが回転可能に収容（配置）され、第２歯車収容部６１には、第２ストップリング２１ｂの後端部４６に形成された第２歯車１２ｂが回転可能に収容（配置）される。中間歯車収容部６２には、中間歯車１３が回転可能に収容（配置）される。インナーハウジング１４の中間歯車収容部６２の軸方向後方（直後）には、インナーハウジング１４の頂壁５１及び底壁５２を貫通する嵌合孔６３と、嵌合孔６３に嵌合する嵌合爪６４とが形成されている。嵌合爪６４は、インナーハウジング１４の内部から径方向内方へ延びている。
【００５８】
インナーハウジング１４の頂壁５１における一方の側部及び他方の側部には、図８に示すように、互いに並行して軸方向へ延びる一対の第１ガイド溝６５ａと、第１ガイド溝６５ａの上面から上方へ凸となる一対の第１凸部６６ａと、第１ガイド溝６６ａの上面から下方へ凹む一対の第１凹部６７ａとが形成されている。第１凸部６６ａは、第１ガイド溝６５ａに繋がって第１ガイド溝６５ａの軸方向前方に形成され、第１凹部６７ａは、第１凸部６６ａに繋がって第１凸部６６ａの軸方向の直前に形成されている。
【００５９】
インナーハウジング１４の底壁５２における一方の側部及び他方の側部には、互いに並行して軸方向へ延びる一対の第２ガイド溝６５ｂと、第２ガイド溝６５ｂの下面から下方へ凸となる一対の第２凸部６６ｂと、第２ガイド溝６５ｂの下面から上方へ凹む一対の第２凹部６７ｂとが形成されている。第２凸部６６ｂは、第２ガイド溝６５ｂに繋がって第２ガイド溝６５ｂの軸方向前方に形成され、第２凹部６７ｂは、第２凸部６６ｂに繋がって第２凸部６６ｂの軸方向の直前に形成されている。インナーハウジング１４の両側壁５３，５４には、両側壁５３，５４から幅方向外方へ凸となって軸方向へ延びるガイド凸部６８が形成されている。
【００６０】
インナーハウジング１４では、第１及び第２歯車１２ａ，１２ｂと中間歯車１３とが第１及び第２歯車収容部６０，６１と中間歯車収容部６２とに収容されることで、それら歯車１２ａ，１２ｂ，１３が横方向に並びつつ、第１歯車１２ａと中間歯車１３とが外接し、第２歯車１２ｂと中間歯車１３とが外接する。インナーハウジング１４は、上下方向へ２つに分離（分割）された外形が同形同大の各インナーハウジング１４を連結することから作られている。各インナーハウジング１４を連結すると、下方のインナーハウジング１４に形成された嵌合爪６４が上方のインナーハウジング１４に形成された嵌合孔６３に嵌合するとともに、上方のインナーハウジング１４に形成された嵌合爪６４が下方のインナーハウジング１４に形成された嵌合孔６３に嵌合し、それら各インナーハウジング１４が固定されて一体になる。
【００６１】
第１プラグフレーム２０ａの第１フランジ３７ａの軸方向後方における側壁３１〜３４に形成された第１係入凹部３８ａがインナーハウジング１４の内部に形成された第１係入凸部５７ａに係入しつつ、第１プラグフレーム２０ａがインナーハウジング１４に対して回転可能に連結（接続）される。第２プラグフレーム２０ｂの第２フランジ３７ｂの軸方向後方における側壁３１〜３４に形成された第２係入凹部３８ｂがインナーハウジング１４の内部に形成された第２係入凸部５７ｂに係入しつつ、第２プラグフレーム２０ｂがインナーハウジング１４に対して回転可能に連結（接続）される。パイプ２８は、ステンレスや真鍮、鉄鋼等の金属材料から作られ、カシメリング１７に連結されるとともに、インナーハウジング１４の筒部５６に連結される。
【００６２】
図９は、アウターハウジング１５の斜視図であり、図１０は、アウターハウジング１５の正面図である。アウターハウジング１５は、合成樹脂材料から作られ、上下方向へ離間対向して軸方向へ延びる頂壁６９及び略矩形の底壁７０と、横方向へ離間対向して軸方向へ延びる略矩形の両側壁７１，７２とを有する。アウターハウジング１５は、その前端に開口する前端開口７３と、その後端に開口する後端開口７４と、頂壁６９に連結された一対の弾性変形可能な第１係合ラッチ７５ａ及び弾性変形可能な第２係合ラッチ７５ｂとを有する。
【００６３】
アウターハウジング１５の頂壁６９の前端部における幅方向中央には、軸方向へ延びる係入キー７６が形成されている。係入キー７６は、アウターハウジング１５の頂壁６９の上面から上方へ延出している。アウターハウジング１５の底壁７０の一方の側部及び他方の側部における前後方向中央には、底壁７０の内面から頂壁６９に向かって上方へ凸となる一対の係合凸部７７が形成されている。アウターハウジング１５の両側壁７１，７２には、側壁７１，７２の内面から幅方向外方へ凹む一対のガイド凹部７８が形成されている。それらガイド凹部７８は、アウターハウジング１５の前端開口７３から後端開口７４に向かって軸方向へ延びている。
【００６４】
第１及び第２係合ラッチ７５ａ，７５ｂは、幅方向へ所定寸法離間対向し、互いに並行して軸方向へ直状に延びている。第１係合ラッチ７５ａは、アウターハウジング１５の頂壁６９の一方の側部に位置している。第１係合ラッチ７５ａは、アウターハウジング１５の頂壁６９の一方の側部の後半分に連結されてアウターハウジング１５と一体になった第１連結部７９ａと、第１連結部７９ａに繋がって第１連結部７９ａから軸方向前方へ延びる第１弾性変形部８０ａとから形成されている。第１係合ラッチ７５ａは、その前端に形成された第１当接凸部８１ａと、第１当接凸部８１ａの軸方向後方に形成されて幅方向へ張り出す第１係合部８２ａとを有する。
【００６５】
第１弾性変形部８０ａは、可撓性を有し、上下方向へ弾性変形する。第１弾性変形部８０ａは、第１連結部７９ａに繋がって第１連結部７９ａから軸方向前方へ水平に延びる第１水平部分８３ａと、第１水平部分８３ａに繋がって第１水平部分８３ａから軸方向前方へ延びる第１傾斜部分８４ａとを有する。第１弾性変形部８０ａの第１水平部分８３ａは、その後半分がアウターハウジング１５の頂壁６９の上方へ離間してアウターハウジング１５の頂壁６９と並行し、その前半分がアウターハウジング１５の前端開口７３から軸方向前方へ延出している。第１弾性変形部８０ａの第１傾斜部分８４ａは、軸方向前方に向かうにつれて第１プラグフレーム２０ａの頂壁３１に次第に近づくように、下り勾配に傾斜している。第１係合部８２ａの軸方向後方に延びる第１係合ラッチ７５ａの第１水平部分８３ａには、軸方向後方へ向かうにつれて登り勾配に傾斜する斜面８５を備えた第１傾斜凸部８６ａ（押下げ機構）が形成されている。
【００６６】
第１傾斜部分８４ａは、その厚み寸法が第１水平部分８３ａの厚み寸法よりも小さく、その弾性力が第１水平部分８３ａの弾性力よりも弱い。第１当接凸部８１ａは、第１係合ラッチ７５ａの第１傾斜部分８４ａの前端から第１プラグフレーム２０ａの頂壁３１に向かって下方へ延出し、第１プラグフレーム２０ａの頂壁３１の軸方向前方に位置する前端部に当接している。第１係合部８２ａは、アウターハウジング１５の前端開口７３から軸方向前方へ延出する第１水平部分８３ａの前半分の前方に位置し、第１コネクタアセンブリ１１ａを光コネクタアダプタに挿入したときに光コネクタアダプタに係合する。
【００６７】
第２係合ラッチ７５ｂは、アウターハウジング１５の頂壁６９の他方の側部に位置している。第２係合ラッチ７５ｂは、アウターハウジング１５の頂壁６９の他方の側部の後半分に連結されてアウターハウジング１５と一体になった第２連結部７９ｂと、第２連結部７９ｂに繋がって第２連結部７９ｂから軸方向前方へ延びる第２弾性変形部８０ｂとから形成されている。第２係合ラッチ７５ｂは、その前端に形成された第２当接凸部８１ｂと、第２当接凸部８１ｂの軸方向後方に形成されて幅方向へ張り出す第２係合部８２ｂとを有する。
【００６８】
第２弾性変形部８０ｂは、可撓性を有し、上下方向へ弾性変形する。第２弾性変形部８０ｂは、第２連結部７９ｂに繋がって第２連結部７９ｂから軸方向前方へ水平に延びる第２水平部分８３ｂと、第２水平部分８３ｂに繋がって第２水平部分８３ｂから軸方向前方へ延びる第２傾斜部分８４ｂとを有する。第２弾性変形部８０ｂの第２水平部分８３ｂは、その後半分がアウターハウジング１５の頂壁６９の上方へ離間してアウターハウジング１５の頂壁６９と並行し、その前半分がアウターハウジング１５の前端開口７３から軸方向前方へ延出している。第２弾性変形部８０ｂの第２傾斜部分８４ｂは、軸方向前方に向かうにつれて第２プラグフレーム２０ｂの頂壁３１に次第に近づくように、下り勾配に傾斜している。第２係合部８２ｂの軸方向後方に延びる第２係合ラッチ７５ｂの第２水平部分８３ｂには、軸方向後方へ向かうにつれて登り勾配に傾斜する斜面８５を備えた第２傾斜凸部８６ｂ（押下げ機構）が形成されている。
【００６９】
第２傾斜部分８４ｂは、その厚み寸法が第２水平部分８３ｂの厚み寸法よりも小さく、その弾性力が第２水平部分８３ｂの弾性力よりも弱い。第２当接凸部８１ｂは、第２係合ラッチ７５ｂの第２傾斜部分８４ｂの前端から第２プラグフレーム２０ｂの頂壁３１に向かって下方へ延出し、第２プラグフレーム２０ｂの頂壁３１の軸方向前方に位置する前端部に当接している。第２係合部８２ｂは、アウターハウジング１５の前端開口７３から軸方向前方へ延出する第２水平部分８３ｂの前半分の前方に位置し、第２コネクタアセンブリ１１ｂを光コネクタアダプタに挿入したときに光コネクタアダプタに係合する。
【００７０】
アウターハウジング１５は、その頂壁６９にインナーハウジング１４の頂壁５１を対向させるとともにその底壁７０にインナーハウジング１４の底壁５２を対向させた状態で、インナーハウジング１４を収容することができ、逆に、その頂壁６９にインナーハウジング１４の底壁５２を対向させるとともにその底壁７０にインナーハウジング１４の頂壁５１を対向させた状態で、インナーハウジング１４を収容することができる。このように、アウターハウジング１５は、インナーハウジング１４を上下反転させた状態で収容することができる。
【００７１】
例えば、アウターハウジング１５の頂壁６９にインナーハウジング１４の頂壁５１を対向させた状態で、アウターハウジング１５にインナーハウジング１４を収容すると、インナーハウジング１４の底壁５２における一方の側部及び他方の側部に形成された第１及び第２ガイド溝６５ａ，６５ｂに、アウターハウジング１５の底壁７０の一方の側部及び他方の側部における前後方向中央に形成された係合凸部７７が摺動可能に進入するとともに、アウターハウジング１５の両側壁７１，７２に形成されたガイド凹部７８に、インナーハウジング１４の両側壁５３，５４に形成されたガイド凸部６８が進入する。
【００７２】
アウターハウジング１５の内部において更にインナーハウジング１４を軸方向後方へ押し入れると、アウターハウジング１５の係合凸部７７がインナーハウジング１４の第１及び第２ガイド溝６５ａ，６５ｂにおいて軸方向後方へ移動し、インナーハウジング１４のガイド凸部６８がアウターハウジング１５のガイド凹部７８において軸方向後方へ移動し、アウターハウジング１５の係合凸部７７がインナーハウジング１４の底壁５２における一方の側部及び他方の側部に形成された第１及び第２凸部６６ａ，６６ｂを乗り越え、アウターハウジング１５の係合凸部７７がインナーハウジング１４の底壁５２における一方の側部及び他方の側部に形成された第１及び第２凹部６７ａ，６７ｂに係入し、インナーハウジング１４がアウターハウジング１５の内部に連結固定される。
【００７３】
図１１は、上方から見たスライダー１６の斜視図であり、図１２は、下方から見たスライダー１６の斜視図である。図１３は、図１１のＢ−Ｂ線矢視断面図である。スライダー１６は、アウターハウジング１５に対して軸方向へスライド可能に連結される。スライダー１６は、合成樹脂材料から作られ、アウターハウジング１５の後端開口７４の後方に配置されるフレーム８７と、フレーム８７の頂部から軸方向前方に延びる摺動頂壁８８（摺動プレート）とから形成されている。
【００７４】
摺動頂壁８８には、その一方の側縁から下方へ延出しつつ軸方向へ延びる第１外側ガイド壁８９ａと、第１外側ガイド壁８９ａの幅方向内方に位置して摺動頂壁８８の幅方向中央において下方へ延出しつつ軸方向へ延びる第１内側ガイド壁９０ａと、その他方の側縁から下方へ延出しつつ軸方向へ延びる第２外側ガイド壁８９ｂと、第２外側ガイド壁８９ｂの幅方向内方に位置して摺動頂壁８８の幅方向中央において下方へ延出しつつ軸方向へ延びる第２内側ガイド壁９０ｂとが形成されている。
【００７５】
摺動頂壁８８の一方の側部には、第１外側ガイド壁８９ａと第１内側ガイド壁９０ａとの間において軸方向へ延びていて第１係合ラッチ７５ａの第１連結部７９ａと第１弾性変形部８０ａの後半分とが進入する第１進入路９１ａが形成されている。摺動頂壁８８の他方の側部には、第２外側ガイド壁８９ｂと第２内側ガイド壁９０ｂとの間において軸方向へ延びていて第２係合ラッチ７５ｂの第２連結部７９ｂと第２弾性変形部８０ｂの後半分とが進入する第２進入路９１ｂが形成されている。
【００７６】
スライダー１６の一方の側部における第１進入路９１ａの前方には、スライダー１６の上面に向かって凹む第１傾斜凹部９２ａ（押下げ機構）を備えた第１貫通孔９３ａが形成（穿孔）されている。第１傾斜凹部９２ａは、軸方向後方へ向かうにつれて登り勾配に傾斜する斜面９４を有する。第１貫通孔９３ａには、第１係合ラッチ７５ａの第１水平部分８３ａに形成された第１傾斜凸部８６ａが進入し、第１傾斜凹部９２ａの斜面９４に第１傾斜凸部８６ａの斜面８５が摺動可能に当接する。
【００７７】
スライダー１６の他方の側部における第２進入路９１ｂの前方には、スライダー１６の上面に向かって凹む第２傾斜凹部９２ｂ（押下げ機構）を備えた第２貫通孔９３ｂが形成（穿孔）されている。第２傾斜凹部９２ｂは、軸方向後方へ向かうにつれて登り勾配に傾斜する斜面９４を有する。第２貫通孔９３ｂには、第２係合ラッチ７５ｂの第２水平部分８３ｂに形成された第２傾斜凸部８６ｂが進入し、第２傾斜凹部９２ｂの斜面９４に第２傾斜凸部８６ｂの斜面８５が摺動可能に当接する。摺動頂壁８８の幅方向中央における第１内側ガイド壁９０ａと第２内側ガイド壁９０ｂとの間には、アウターハウジング１５の頂壁６９の前端部における幅方向中央に形成された係入キー７６が係入するキー係入部９５が形成されている。
【００７８】
アウターハウジング１５の係入キー７６をスライダー１６のキー係入部９５に係入することで、スライダー１６をアウターハウジング１５に連結（接続）する。スライダー１６がアウターハウジング１５に連結された状態では、スライダー１６のフレーム８７がアウターハウジング１５の後端開口７４の軸方向後方（直後）に位置し、スライダー１６の第１進入路９１ａに第１係合ラッチ７５ａの第１連結部７９ａと第１弾性変形部８０ａの後半分とが進入するとともに、スライダー１６の第２進入路９１ｂに第２係合ラッチ７５ｂの第２連結部７９ｂと第２弾性変形部８０ｂの後半分とが進入する。
【００７９】
更に、スライダー１６の第１貫通孔９３ａに第１係合ラッチ７５ａの第１水平部分８３ａに形成された第１傾斜凸部８６ａが進入して第１貫通孔９３ａの第１傾斜凹部９２ａの斜面９４に第１傾斜凸部８６ａの斜面８５が摺動可能に当接し、スライダー１６の第２貫通孔９３ｂに第２係合ラッチ７５ｂの第２水平部分８３ｂに形成された第２傾斜凸部８６ｂが進入して第２貫通孔９３ｂの第２傾斜凹部９２ｂの斜面９４に第２傾斜凸部８６ｂの斜面８５が摺動可能に当接する。スライダー１６は、アウターハウジング１５の頂壁６９の上面において、第１及び第２傾斜凹部９２ａ，９２ｂの軸方向の長さ寸法だけ軸方向前方と後方とへ摺動（スライド）する。
【００８０】
カシメリング１７は、金属材料又は合成樹脂材料から作られ、略円筒状に成形されて軸方向へ延びている。パイプ２８は、インナーハウジング１４の軸方向後方に位置する筒部５６に挿通されている。ブーツ１８は、金属材料又は合成樹脂材料から作られ、略円筒状に成形されて軸方向へ延びている。ブーツ１８は、その内周面とカシメリング１７の前端部の外周面とが密着するように、カシメリング１７及びパイプ２８を介してインナーハウジング１４の筒部５６に嵌め込まれている。尚、第１光ファイバ２５ａを内蔵した第１光ファイバ心線と第２光ファイバ２５ｂを内蔵した第２光ファイバ心線とがインナーハウジング１４において１つに纏まって光ファイバコード９６となり、その光ファイバコード９６がカシメリング１７及びブーツ１８に挿通されてブーツ１８の後端から軸方向後方へ延出している。
【００８１】
光コネクタプラグ１０では、インナーハウジング１４の第１開口５５ａの軸方向後方に形成された第１回転規制凸部５８ａ（回転角度規制手段）に第１歯車１２ａに形成された第１回転停止凸部５０ａ（回転角度規制手段）が当接することで、第１光コネクタアセンブリ１１ａ（第１ストップリング２１ａ）の回転が阻止される。インナーハウジング１４の第２開口５５ｂの軸方向後方に形成された第２回転規制凸部５８ｂ（回転角度規制手段）に第２歯車１２ｂに形成された第２回転停止凸部５０ｂ（回転角度規制手段）が当接することで、第２光コネクタアセンブリ１１ｂ（第２ストップリング２１ｂ）の回転が阻止される。
【００８２】
第１回転停止凸部５０ａや第２回転停止凸部５０ｂの第１及び第２歯車１２ａ，１２ｂにおける形成範囲（形成位置）、又は、第１回転規制凸部５８ａや第２回転規制凸部５８ｂのインナーハウジング１４における形成範囲（形成位置）によって第１及び第２光コネクタアセンブリ１１ａ，１１ｂ（第１及び第２ストップリング２１ａ，２１ｂ）の回転角度（回転範囲）が決まるが、光コネクタプラグ１０では、第１及び第２光コネクタアセンブリ１１ａ，１１ｂの回転始点から回転終点までの回転範囲が半回転（回転角度が１８０度）に規制（設定）されている。
【００８３】
組み立てられた二連式の光コネクタプラグ１０では、図１，２に示すように、第１係合ラッチ７５ａの第１傾斜部分８４ａの前端が第１プラグフレーム２０ａの頂壁３１の前端部に形成された第１案内凸部３６ａの後端の直後に位置しつつ、第１当接凸部８１ａが第１案内凸部３６ａの後端の直後に延びる第１プラグフレーム２０ａの頂壁３１の上面３５に当接し、第２係合ラッチ７５ｂの第２傾斜部分８４ｂの前端が第２プラグフレーム２０ｂの頂壁３１の前端部に形成された第２案内凸部３６ｂの後端の直後に位置しつつ、第２当接凸部８１ｂが第２案内凸部３６ｂの後端の直後に延びる第２プラグフレーム２０ｂの頂壁３１の上面３５に当接している。
【００８４】
二連式の光コネクタプラグ１０では、第１係合ラッチ７５ａの第１連結部７９ａがアウターハウジング１５の頂壁６９に連結され、第１係合ラッチ７５ａの第１当接凸部８１ａが第１プラグフレーム２０ａの第１案内凸部３６ａの後端の直後に延びる頂壁３１の上面３５に当接することで、第１係合ラッチ７５ａの第１弾性変形部８０ａが第１プラグフレーム２０ａの頂壁３１の上方へ離間する場合と比較し、第１弾性変形部８０ａ（第１水平部分８３ａび第１傾斜部分８４ａ）の上下方向の弾性力が強くなっている。
【００８５】
第２係合ラッチ７５ｂの第２連結部７９ｂがアウターハウジング１５の頂壁６９に連結され、第２係合ラッチ７５ｂの第２当接凸部８１ｂが第２プラグフレーム２０ｂの第２案内凸部３６ｂの後端の直後に延びる頂壁３１の上面３５に当接することで、第２係合ラッチ７５ｂの第２弾性変形部８０ｂが第２プラグフレーム２０ｂの頂壁３１の上方へ離間する場合と比較し、第２弾性変形部８０ｂ（第２水平部分８３ｂ及び第２傾斜部分８４ｂ）の上下方向の弾性力が強くなっている。
【００８６】
二連式の光コネクタプラグ１０では、第１及び第２コネクタアセンブリ１１ａ，１１ｂを光コネクタアダプタ（図示せず）に挿入し、第１及び第２コネクタアセンブリ１１ａ，１１ｂを光コネクタアダプタの内部に押し入れると、第１及び第２係合ラッチ７５ａ，７５ｂの第１及び第２弾性変形部８０ａ，８０ｂが下方へ弾性変形しつつ、第１及び第２係合ラッチ７５ａ，７５ｂの第１及び第２係合部８２ａ，８２ｂが光コネクタアダプタの係合部に係合し、光コネクタプラグ１０が光コネクタアダプタに連結されて光接続状態になる。アウターハウジング１５に対してスライダー１６を軸方向後方へスライドさせる前の状態では、第１及び第２係合ラッチ７５ａ，７５ｂの第１及び第２弾性変形部８０ａ，８０ｂが下方へ押し下げられることはなく、第１及び第２コネクタアセンブリ１１ａ，１１ｂ（第１及び第２係合ラッチ７５ａ，７５ｂの第１及び第２係合部８２ａ，８２ｂ）の光コネクタアダプタに対する係合状態が維持される。
【００８７】
アウターハウジング１５に対してスライダー１６を軸方向後方へスライドさせると、スライダー１６の第１貫通孔９３ａの第１傾斜凹部９２ａ（押下げ機構）の斜面９４が第１係合ラッチ７５ａの第１傾斜凸部８６ａ（押下げ機構）の斜面８５を下方へ押圧して第１傾斜凹部９２ａが第１傾斜凸部８６ａを下方へ押し下げ、それによって第１係合ラッチ７８ａの第１弾性変形部８０ａが下方へ押し下げられるとともに、スライダー１６の第２貫通孔９３ｂの第２傾斜凹部９２ｂ（押下げ機構）の斜面９４が第２係合ラッチ７５ｂの第２傾斜凸部８６ｂ（押下げ機構）の斜面８５を下方へ押圧して第２傾斜凹部９２ｂが第２傾斜凸部８６ｂを下方へ押し下げ、それによって第２係合ラッチ７５ｂの第２弾性変形部８０ｂが下方へ押し下げられる。
【００８８】
第１及び第２係合ラッチ７５ａ，７５ｂの第１及び第２弾性変形部８０ａ，８０ｂが下方へ押し下げられると、それによって光コネクタアダプタに対する第１及び第２係合ラッチ７５ａ，７５ｂの第１及び第２係合部８２ａ，８２ｂの係合が解除され、光コネクタアダプタから第１及び第２コネクタセンブリ１１ａ，１１ｂを引き抜くことができ、光コネクタプラグ１０と光コネクタアダプとの連結（光接続）が解除される。
【００８９】
図１４は、光コネクタプラグ１０に大きな引っ張り荷重が作用した場合の光コネクタプラグ１０の側面図である。二連式の光コネクタプラグ１０では、第１及び第２コネクタアセンブリ１１ａ，１１ｂ（第１及び第２係合ラッチ７５ａ，７５ｂ）を光コネクタアダプタに挿入した光コネクタアダプタとの連結状態において、光コネクタアダプタに対する連結を解除する方向へ光コネクタプラグ１０が強く引っ張られて第１及び第２係合ラッチ７５ａ，７５ｂに軸方向（軸方向後方）への大きな引っ張り荷重が作用し、第１及び第２係合ラッチ７５ａ，７５ｂの第１及び第２弾性変形部８０ａ，８０ｂが軸方向へ弾性変形して伸長したときに、図１４に示すように、第１係合ラッチ７５ａの第１傾斜部分８４ａの前端が第１案内凸部３６ａの後端に当接しつつ、第２係合ラッチ７５ｂの第２傾斜部分８４ｂの前端が第２案内凸部３６ｂの後端に当接する（７５ｂ，８４ｂ，３６ｂは図１４に図示せず）。
【００９０】
それにより、第１及び第２係合ラッチ７５ａ，７５ｂの第１及び第２弾性変形部８０ａ，８０ｂの下方への弾性変形が抑制され、光コネクタアダプタに対する第１及び第２係合ラッチ７５ａ，７５ｂの第１及び第２係合部８２ａ，８２ｂの係合が解除されることはなく、光コネクタアダプタに対する光コネクタプラグ１０（第１及び第２係合ラッチ７５ａ，７５ｂの第１及び第２係合部８２ａ，８２ｂ）の連結状態（係合状態）が維持される。
【００９１】
二連式の光コネクタプラグ１０は、第１及び第２コネクタアセンブリ１１ａ，１１ｂを光コネクタアダプタに挿入した光コネクタアダプタとの連結状態において、光コネクタアダプタに対する連結を解除する方向へ光コネクタプラグ１０が強く引っ張られて第１及び第２係合ラッチ７５ａ，７５ｂに軸方向の大きな引っ張り荷重が作用し、第１及び第２係合ラッチ７５ａ，７５ｂの第１及び第２弾性変形部８０ａ，８０ｂが軸方向へ弾性変形して伸長したときに、第１係合ラッチ７５ａの第１傾斜部分８４ａの前端が第１案内凸部３６ａの後端に当接しつつ、第２係合ラッチ７５ｂの第２傾斜部分８４ｂの前端が第２案内凸部３６ｂの後端に当接することで、第１及び第２弾性変形部８０ａ，８０ｂの下方への弾性変形が抑制され、光コネクタアダプタに対する該第１及び第２係合ラッチ７５ａ，７５ｂの第１及び第２係合部８２ａ，８２ｂの係合状態が維持されるから、光コネクタプラグ１０と光コネクタアダプタとの連結が不用意に解除されることはなく、光コネクタアダプタとの光接続状態を維持することができる。
【００９２】
第１係合ラッチ７５ａの第１傾斜部分８４ａの前端と第１案内凸部３６ａの後端との軸方向の離間寸法は、０．１〜０．６ｍｍの範囲にあり、第２係合ラッチ７５ｂの第２傾斜部分８４ｂの前端と第２案内凸部３６ｂの後端との軸方向の離間寸法は、０．１〜０．６ｍｍの範囲にある。第１係合ラッチ７５ａの第１傾斜部分８４ａの前端と第１案内凸部３６ａの後端との軸方向の離間寸法が０．６ｍｍを超過するとともに、第２係合ラッチ７５ｂの第２傾斜部分８４ｂの前端と第２案内凸部３６ｂの後端との軸方向の離間寸法が０．６ｍｍを超過すると、光コネクタアダプタに対する連結を解除する方向へ光コネクタプラグ１０が引っ張られて第１及び第２係合ラッチ７５ａ，７５ｂに軸方向（軸方向後方）への引っ張り荷重が作用し、第１及び第２係合ラッチ７５ａ，７５ｂの第１及び第２弾性変形部８０ａ，８０ｂが軸方向へ弾性変形して伸長したときに、第１係合ラッチ７５ａの第１傾斜部分８４ａの前端が第１案内凸部３６ａの後端に当接せず、第２係合ラッチ７５ｂの第２傾斜部分８４ｂの前端が第２案内凸部３６ｂの後端に当接せず、第１及び第２係合ラッチ７５ａ，７５ｂの第１及び第２弾性変形部８０ａ，８０ｂが下方へ弾性変形し、光コネクタアダプタに対する第１及び第２係合ラッチ７５ａ，７５ｂの第１及び第２係合部８２ａ，８２ｂの係合状態が不用意に解除されてしまう場合がある。
【００９３】
第１係合ラッチ７５ａの第１傾斜部分８４ａの前端と第１案内凸部３６ａの後端との軸方向の離間寸法が０．１ｍｍ未満であって、第２係合ラッチ７５ｂの第２傾斜部分８４ｂの前端と第２案内凸部３６ｂの後端との軸方向の離間寸法が０．１ｍｍ未満では、光コネクタアダプタに対する光コネクタプラグ１０の連結時又は光コネクタアダプタに対する光コネクタプラグ１０の連結解除時において、第１及び第２係合ラッチ７５ａ，７５ｂの第１及び第２弾性変形部８０ａ，８０ｂが下方へ弾性変形したときに、わずかな弾性変形で第１係合ラッチ７５ａの第１傾斜部分８４ａの前端が第１案内凸部３６ａの後端に当接し、第２係合ラッチ７５ｂの第２傾斜部分８４ｂの前端が第２案内凸部３６ｂの後端に当接し、第１及び第２弾性変形部８０ａ，８０ｂの下方への弾性変形が抑制され、光コネクタアダプタに対して第１及び第２係合ラッチ７５ａ，７５ｂの第１及び第２係合部８２ａ，８２ｂをスムーズに係合させることができないとともに、光コネクタアダプタに対する第１及び第２係合ラッチ７５ａ，７５ｂの第１及び第２係合部８２ａ，８２ｂの係合をスムーズに解除することができず、光コネクタプラグ１０と光コネクタアダプタとをスムーズに連結（光接続）することができない場合があるとともに、光コネクタプラグ１０と光コネクタアダプタとの連結（光接続）をスムーズに解除することができない場合がある。
【００９４】
二連式の光コネクタプラグ１０は、第１係合ラッチ７５ａの第１傾斜部分８４ａの前端が第１案内凸部３６ａの直後に位置しつつ、第１係合ラッチ７５ａの前端に形成された第１当接凸部８１ａが第１案内凸部３６ａの直後に延びる第１プラグフレーム２０ａの頂壁３１の上面３５に当接し、第２係合ラッチ７５ｂの第２傾斜部分８４ｂの前端が第２案内凸部３６ｂの直後に位置しつつ、第２係合ラッチ７５ｂの前端に形成された第２当接凸部８１ｂが第２案内凸部３６ｂの直後に延びる第２プラグフレーム２０ｂの頂壁３１の上面３５に当接することで、第１及び第２係合ラッチ７５ａ，７５ｂの前端部が第１及び第２プラグフレーム２０ａ，２０ｂの頂壁３１の前端部から上方へ離間する場合と比較し、第１係合ラッチ７５ａの第１弾性変形部８０ａの弾性力が強くなるとともに、第２係合ラッチ７５ｂの第２弾性変形部８０ｂの弾性力が強くなり、更に、第１及び第２弾性変形部８０ａ，８０ｂの第１及び第２水平部分８３ａ，８３ｂの厚み寸法が第１及び第２傾斜部分８４ａ，８４ｂの厚み寸法よりも大きく、第１及び第２水平部分８３ａ，８３ｂの弾性力が第１及び第２傾斜部分８４ａ，８４ｂの弾性力よりも強いから、光コネクタアダプタとの連結状態（光接続状態）において光コネクタプラグ１０と光コネクタアダプタとの連結を解除する方向へ光コネクタプラグ１０が引っ張られ、第１及び第２係合ラッチ７５ａ，７５ｂに軸方向の引っ張り荷重が作用したとしても、第１及び第２係合ラッチ７５ａ，７５ｂの第１及び第２弾性変形部８０ａ，８０ｂの下方への弾性変形が抑制され、光コネクタプラグ１０と光コネクタアダプタとの連結が不用意に解除されることはなく、光コネクタアダプタとの光接続状態を維持することができ、光コネクタプラグ１０と光コネクタアダプタとの連結が不用意に解除される切断事故を防ぐことができる。
【００９５】
二連式の光コネクタプラグ１０は、第１及び第２係合ラッチ７５ａ，７５ｂの第１及び第２弾性変形部８０ａ，８０ｂの弾性力が強いから、第１及び第２コネクタアセンブリ１１ａ，１１ｂを光コネクタアダプタに挿入したときに、下方へ弾性変形した第１及び第２係合ラッチ７５ａ，７５ｂの第１及び第２弾性変形部８０ａ，８０ｂが上方へ戻り易く、第１及び第２係合ラッチ７５ａ，７５ｂの第１及び第２係合部８２ａ，８２ｂと光コネクタアダプタとを確実に係合させることにより、第１及び第２係合ラッチ７５ａ，７５ｂの第１及び第２係合部８２ａ，８２ｂを光コネクタアダプタに強固に係合させることができ、光コネクタアダプタに対する光コネクタプラグ１０の連結（光接続状態）を確実に維持することができる。
【００９６】
二連式の光コネクタプラグ１０は、第１及び第２弾性変形部８０ａ，８０ｂの第１及び第２傾斜部分８４ａ，８４ｂの厚み寸法が第１及び第２水平部分８３ａ，８３ｂの厚み寸法よりも小さく、第１及び第２傾斜部分８４ａ，８４ｂの弾性力が第１及び第２水平部分８３ａ，８３ｂの弾性力よりも弱いから、第１弾性変形部８０ａのうちの第１傾斜部分８４ａが第１水平部分８３ａよりも容易に弾性変形し、第２弾性変形部８０ｂのうちの第２傾斜部分８４ｂが第２水平部分８３ｂよりも容易に弾性変形し、第１及び第２コネクタアセンブリ１１ａ，１１ｂを光コネクタアダプタに挿入したときに、第１及び第２係合ラッチ７５ａ，７５ｂの第１及び第２係合部８２ａ，８２ｂを光コネクタアダプタにスムーズに係合させることができ、光コネクタプラグ１０を光コネクタアダプタにスムーズに連結させることができる。
【００９７】
図１５は、第１及び第２光コネクタアセンブリ１１ａ，１１ｂを回転させる手順を説明する斜視図であり、図１６は、第１及び第２光コネクタアセンブリ１１ａ，１１ｂを半回転（１８０度）回転させた後の斜視図である。二連式の光コネクタプラグ１０の第１及び第２光コネクタアセンブリ１１ａ，１１ｂを回転させる手順（極性変換手順）を説明すると、以下のとおりである。
【００９８】
インナーハウジング１４とアウターハウジング１５とが連結（接続）された状態から、ブーツ１８を軸方向前方へ押し出すと、アウターハウジング１５の底壁７０に形成された係合凸部７７がインナーハウジング１４の底壁５２に形成された第１及び第２凹部６７ａ，６７ｂから第１及び第２凸部６６ａ，６６ｂを乗り越えて第１及び第２ガイド溝６５ａ，６５ｂに進入し、インナーハウジング１４とアウターハウジング１５との連結（固定）が解除され、図１５に示すように、インナーハウジング１４がアウターハウジング１５から軸方向前方へ引き出される。インナーハウジング１４をアウターハウジング１５から引き出した後、例えば、図１５に矢印Ｃ１で示すように、第１光コネクタアセンブリ１１ａ（一方の光コネクタアセンブリ）を時計回り方向へ回転させる。
【００９９】
光コネクタプラグ１０では、第１及び第２光コネクタアセンブリ１１ａ，１１ｂのうちの第１光コネクタアセンブリ１１ａ（一方の光コネクタアセンブリ）がその軸を中心に時計回り方向へ回転すると、第１歯車１２ａ（一方の歯車）が時計回り方向へ回転し、第１歯車１２ａの回転によって中間歯車１３が反時計回り方向へ回転する。中間歯車１３によって第１歯車１２ａの回転力（回転）が第２歯車１２ｂ（他方の歯車）に伝達され、第１歯車１２ａに連動して第２歯車１２ｂがその軸を中心に第１歯車１２ａと同一の時計回り方向（同一方向）へ回転し、それによって第２光コネクタアセンブリ１１ｂが時計回り方向へ回転する。
【０１００】
それら歯車１２ａ，１２ｂ，１３の歯車比が１であるから、第１光コネクタアセンブリ１１ａを時計回り方向へ回転させたときに、第２光コネクタアセンブリ１１ｂ（他方の光コネクタアセンブリ）が第１光コネクタアセンブリ１１ａと同一の回転角度で時計回り方向へ回転する。尚、第２光コネクタアセンブリ１１ｂ（一方の光コネクタアセンブリ）を時計回り方向へ回転させると、第１光コネクタアセンブリ１１ａ（他方の光コネクタアセンブリ）が第２光コネクタアセンブリ１１ｂと同一の回転角度で時計回り方向へ回転する。
【０１０１】
第１及び第２歯車収容部６０，６１に回転可能に収容された第１及び第２歯車１２ａ，１２ｂの回転力が第１及び第２歯車１２ａ，１２ｂの一方の歯車１２ａ，１２ｂから中間歯車収容部６２に回転可能に収容された中間歯車１３を介して他方の歯車１２ａ，１２ｂに伝達されるから、それら歯車１２ａ，１２ｂ，１３を利用することで、他方の光コネクタアセンブリ１１ａ，１１ｂを一方の光コネクタアセンブリ１１ａ，１１ｂと同一の方向へ同時に回転させることができる。
【０１０２】
又、それら歯車１２ａ，１２ｂ，１３の歯車比が１であるから、第１及び第２光コネクタアセンブリ１１ａ，１１ｂのうちの一方の光コネクタアセンブリ１１ａ，１１ｂが回転したときに、他方の光コネクタアセンブリ１１ａ，１１ｂが一方の光コネクタアセンブリ１１ａ，１１ｂと同一の回転角度で回転し、第１及び第２光コネクタアセンブリ１１ａ，１１ｂの回転始点から回転終点までの回転範囲を同一にすることができ、一方の光コネクタアセンブリ１１ａ，１１ｂを回転させることで他方の光コネクタアセンブリ１１ａ，１１ｂを一方の光コネクタアセンブリ１１ａ，１１ｂと同一の位置まで回転させることができる。
【０１０３】
図１５の状態から第１及び第２光コネクタアセンブリ１１ａ，１１ｂを時計回り方向へ半回転（１８０度）回転（回転始点から回転終点まで半回転回転）させると、インナーハウジング１４の第１開口５５ａの軸方向後方に形成された第１回転規制凸部５８ａ（回転角度規制手段）に第１歯車１２ａに形成された第１回転停止凸部５０ａ（回転角度規制手段）が当接するとともに、インナーハウジング１４の第２開口５５ｂの軸方向後方に形成された第２回転規制凸部５８ｂ（回転角度規制手段）に第２歯車１２ｂに形成された第２回転停止凸部５０ｂ（回転角度規制手段）が当接し、第１及び第２光コネクタアセンブリ１１ａ，１１ｂの時計回り方向への回転が停止する。
【０１０４】
第１及び第２光コネクタアセンブリ１１ａ，１１ｂを時計回り方向へ半回転（１８０度）回転させた後、図１５に矢印Ｃ２で示すように、アウターハウジング１５（スライダー１６を含む）を時計回り方向（又は、反時計回り方向）へ半回転（１８０度）回転させる。アウターハウジング１５を半回転（１８０度）回転させると、アウターハウジング１５の頂壁６９がインナーハウジング１４の底壁５２の側に位置し、アウターハウジング１５の底壁７０がインナーハウジング１４の頂壁５１の側に位置する。
【０１０５】
次に、アウターハウジング１５の頂壁６９にインナーハウジング１４の底壁５２が対向するとともにアウターハウジング１５の底壁７０にインナーハウジング１４の頂壁５１が対向した状態で、アウターハウジング１５をインナーハウジング１４に向かって前後方向前方へ移動させ、インナーハウジング１４をアウターハウジング１５の内部に収容し（押し入れ）、既述のように、インナーハウジング１４の頂壁５１に形成された第１及び第２凹部６７ａ，６７ｂにアウターハウジング１５の底壁７０に形成された係合凸部７７を係入させ、インナーハウジング１４とアウターハウジング１５とを連結（接続）する。図１の状態から第１及び第２光コネクタアセンブリ１１ａ，１１ｂを時計回り方向へ同時に半回転（１８０度）回転させて図１６の状態にすることで、二連式の光コネクタプラグ１０の極性が変換される。
【０１０６】
図１６に示す光コネクタプラグ１０の極性を変換した後、既述の手順によってインナーハウジング１４をアウターハウジング１５から軸方向前方へ引き出し、第２光コネクタアセンブリ１１ｂ（一方の光コネクタアセンブリ）を反時計回り方向へ回転させるとともに、第１光コネクタアセンブリ１１ａを反時計回り方向へ回転させる。第１及び第２光コネクタアセンブリ１１ａ，１１ｂを反時計回り方向へ半回転（１８０度）回転させた後、アウターハウジング１５（スライダー１６を含む）を反時計回り方向（又は、時計回り方向）へ半回転（１８０度）回転させる。
【０１０７】
次に、アウターハウジング１５の頂壁６９にインナーハウジング１４の頂壁５１が対向するとともにアウターハウジング１５の底壁７０にインナーハウジング１４の底壁５２が対向した状態で、アウターハウジング１５をインナーハウジング１４に向かって前後方向前方へ移動させ、インナーハウジング１４をアウターハウジング１５の内部に収容し（押し入れ）、インナーハウジング１４の底壁５２に形成された第１及び第２凹部６７ａ，６７ｂにアウターハウジング１５の底壁７０に形成された係合凸部７７を係入させ、インナーハウジング１４とアウターハウジング１５とを連結（接続）する。図１６の状態から第１及び第２光コネクタアセンブリ１１ａ，１１ｂを反時計回り方向へ同時に半回転（１８０度）回転させて図１の状態にすることで、二連式の光コネクタプラグ１０の極性が変換される。
【０１０８】
極性変換手順を実施し、第１及び第２光コネクタアセンブリ１１ａ，１１ｂのうちの一方の光コネクタアセンブリ１１ａ，１１ｂをその軸を中心に回転始点から回転終点まで半回転（１８０度）回転させると、それに連動して他方の光コネクタアセンブリ１１ａ，１１ｂがそれぞれの軸を中心に一方の光コネクタアセンブリ１１ａ，１１ｂと同一の方向へ回転始点から回転終点まで半回転（１８０度）回転するから、図１の状態から図１６の状態に二連式の光コネクタプラグ１０の極性を変換することができ、図１６の状態から図１の状態に二連式の光コネクタプラグ１０の極性を変換することができる。
【０１０９】
図１の状態から図１６の状態に極性変換した後の二連式の光コネクタプラグ１０及び図１６の状態から図１の状態に極性変換した後の二連式の光コネクタプラグ１０では、第１係合ラッチ７５ａの第１傾斜部分８４ａの前端が第１プラグフレーム２０ａの頂壁３１の前端部に形成された第１案内凸部３６ａの後端の直後に位置しつつ、第１当接凸部８１ａが第１案内凸部３６ａの後端の直後に延びる第１プラグフレーム２０ａの頂壁３１の上面３５に当接し、第２係合ラッチ７５ｂの第２傾斜部分８４ｂの前端が第２プラグフレーム２０ｂの頂壁３１の前端部に形成された第２案内凸部３６ｂの後端の直後に位置しつつ、第２当接凸部８１ｂが第２案内凸部３６ｂの後端の直後に延びる第２プラグフレーム２０ｂの頂壁３１の上面３５に当接する。
【０１１０】
二連式の光コネクタプラグ１０は、図１の状態から図１６の状態に極性変換した後及び図１６の状態から図１の状態に極性変換した後であっても、第１係合ラッチ７５ａの第１当接凸部８１ａが第１案内凸部３６ａの後端の直後に延びる第１プラグフレーム２０ａの頂壁３１の上面３５に当接するから、第１弾性変形部８０ａ（第１水平部分８３ａ及び第１傾斜部分８４ａ）の上下方向の弾性力を高く維持することができ、第２係合ラッチ７５ｂの第２当接凸部８１ｂが第２案内凸部３６ｂの後端の直後に延びる第２プラグフレーム２０ｂの頂壁３１の上面３５に当接するから、第２弾性変形部８０ｂ（第２水平部分８３ｂ及び第２傾斜部分８４ｂ）の上下方向の弾性力を高く維持することができる。
【図面の簡単な説明】
【０１１１】
【図１】一例として示す二連式の光コネクタプラグの斜視図。
【図２】二連式の光コネクタプラグの側面図。
【図３】二連式の光コネクタプラグの分解斜視図。
【図４】第１及び第２プラグフレームの斜視図。
【図５】図４のＡ−Ａ線矢視断面図。
【図６】第１及び第２ストップリングの斜視図。
【図７】２つに分離した状態で示すインナーハウジングの斜視図。
【図８】インナーハウジングの外面図。
【図９】アウターハウジングの斜視図。
【図１０】アウターハウジングの正面図。
【図１１】上方から見たスライダーの斜視図。
【図１２】下方から見たスライダーの斜視図。
【図１３】図１１のＢ−Ｂ線矢視断面図。
【図１４】光コネクタプラグに大きな引っ張り荷重が作用した場合の光コネクタプラグの側面図。
【図１５】第１及び第２光コネクタアセンブリを回転させる手順を説明する斜視図。
【図１６】第１及び第２光コネクタアセンブリを半回転（１８０度）回転させた後の斜視図。
【符号の説明】
【０１１２】
１０    二連式の光コネクタプラグ
１１ａ  第１光コネクタアセンブリ
１１ｂ  第２光コネクタアセンブリ
１２ａ  第１歯車
１２ｂ  第２歯車
１３    中間歯車
１４    インナーハウジング
１５    アウターハウジング
１６    スライダー
１７    カシメリング
１８    ブーツ
１９ａ  第１フェルール
１９ｂ  第２フェルール
２０ａ  第１プラグフレーム
２０ｂ  第２プラグフレーム
２１ａ  第１ストップリング
２１ｂ  第２ストップリング
２２ａ  第１ばね
２２ｂ  第２ばね
２３ａ  第１キャピラリ
２３ｂ  第２キャピラリ
２４ａ  第１スリーブ
２４ｂ  第２スリーブ
２５ａ  第１光ファイバ
２５ｂ  第２光ファイバ
２６    先端面
２７    面取り部
２８    パイプ
２９ａ  第１心線カバー
２９ｂ  第２心線カバー
３０ａ  第１フランジ
３０ｂ  第２フランジ
３１    頂壁
３２    底壁
３３    側壁
３４    側壁
３５    上面
３６ａ  第１案内凸部
３６ｂ  第２案内凸部
３７ａ  第１フランジ
３７ｂ  第２フランジ
３８ａ  第１係入凹部
３８ｂ  第２係入凹部
３９    フェルール収容スペース
４０    前端露出口
４１    後端挿入口
４２    当接部
４３    ガイド凹部
４４    前端部
４５    中間部
４６    後端部
４７    心線露出口
４８    心線挿入口
４９    ガイド凸部
５０ａ  第１回転停止凸部（回転角度規制手段）
５０ｂ  第２回転停止凸部（回転角度規制手段）
５１    頂壁
５２    底壁
５３    側壁
５４    側壁
５５ａ  第１開口
５５ｂ  第２開口
５６    筒部
５７ａ  第１係入凸部
５７ｂ  第２係入凸部
５８ａ  第１回転規制凸部（回転角度規制手段）
５８ｂ  第２回転規制凸部（回転角度規制手段）
５９    仕切壁
６０    第１歯車収容部
６１    第２歯車収容部
６２    中間歯車収容部
６３    嵌合孔
６４    嵌合爪
６５ａ  第１ガイド溝
６５ｂ  第２ガイド溝
６６ａ  第１凸部
６６ｂ  第２凸部
６７ａ  第１凹部
６７ｂ  第２凹部
６８    ガイド凸部  
６９    頂壁
７０    底壁
７１    側壁
７２    側壁
７３    前端開口
７４    後端開口
７５ａ  第１係合ラッチ
７５ｂ  第２係合ラッチ
７６    係入キー
７７    係合凸部
７８    ガイド凹部
７９ａ  第１連結部
７９ｂ  第２連結部
８０ａ  第１弾性変形部
８０ｂ  第２弾性変形部
８１ａ  第１当接凸部
８１ｂ  第２当接凸部
８２ａ  第１係合部
８２ｂ  第２係合部
８３ａ  第１水平部分
８３ｂ  第２水平部分
８４ａ  第１傾斜部分
８４ｂ  第２傾斜部分
８５    斜面
８６ａ  第１傾斜凸部
８６ｂ  第２傾斜凸部
８７    フレーム
８８    摺動頂壁
８９ａ  第１外側ガイド壁
８９ｂ  第２外側ガイド壁
９０ａ  第１内側ガイド壁
９０ｂ  第２内側ガイド壁
９１ａ  第１進入路
９１ｂ  第２進入路
９２ａ  第１傾斜凹部
９２ｂ  第２傾斜凹部
９３ａ  第１貫通孔
９３ｂ  第２貫通孔
９４    斜面
９５    キー係入部
９６    光ファイバコード
【要約】      （修正有）【課題】光コネクタプラグと光コネクタアダプタとの連結を解除する方向へ光コネクタプラグが引っ張られたとしても、光コネクタアダプタとの光接続状態を維持することができる二連式の光コネクタプラグを提供する。【解決手段】二連式の光コネクタプラグ１０では、第１係合ラッチ７５ａの第１傾斜部分の前端が第１プラグフレーム２０ａの頂壁の前端部に形成された第１案内凸部の直後に位置しつつ、第１係合ラッチ７５ａの第１当接凸部が第１案内凸部の直後に延びる第１プラグフレーム２０ａの頂壁に当接し、第２係合ラッチ７５ｂの第２傾斜部分の前端が第２プラグフレーム２０ｂの頂壁の前端部に形成された第２案内凸部の直後に位置しつつ、第２係合ラッチ７５ｂの第２当接凸部が第２案内凸部の直後に延びる第２プラグフレーム２０ｂの頂壁に当接している。【選択図】図１【図１】
0006892710.tif 000002
【図２】
0006892710.tif 000003
【図３】
0006892710.tif 000004
【図４】
0006892710.tif 000005
【図５】
0006892710.tif 000006
【図６】
0006892710.tif 000007
【図７】
0006892710.tif 000008
【図８】
0006892710.tif 000009
【図９】
0006892710.tif 000010
【図１０】
0006892710.tif 000011
【図１１】
0006892710.tif 000012
【図１２】
0006892710.tif 000013
【図１３】
0006892710.tif 000014
【図１４】
0006892710.tif 000015
【図１５】
0006892710.tif 000016
【図１６】
0006892710.tif 000017